(57)【特許請求の範囲】
【請求項１】
周壁の一部に開閉自在な開口を設け、該開口を通してゴミ容器を出し入れできるようにするとともに、頂壁の適所にテープフィーダの巻取リールに巻き取られた使用済みのカバーテープを投入し得るようにした投入口を設けたハウジングの内側上部に、高速気流発生手段と発生する高速気流を下方へ案内する案内筒からなっていて、前記投入口に投入される前記カバーテープを高速気流により連続的に下方へ吸引連行し得るようにした吸入装置を設けており、前記高速気流発生手段は、環状のトンネル状空気通路を有し、この空気通路に接線方向に吹き込まれる圧力空気によってこの空気通路内で旋回しながら旋回下降気流を発生させるように構成した旋回リングを備えた吹出ノズルからなっていて、該吹出ノズルは、上下に貫通するとともに、前記ハウジングの頂壁に設けたカバーテープの投入口と連通するホッパー状の開口部を備え、使用にあたっては、前記ゴミ容器を前記ハウジング内に配置し、かつ前記吸引装置を起動した状態で前記カバーテープを前記投入口に投入することにより、該カバーテープが前記高速気流によりほどかれながら高速かつ自動的に該ゴミ容器内に連行蓄積されるようにしたことを特徴とするカバーテープ処理装置。
【請求項２】
前記案内筒は断面円形の円筒体からなり、カプラを介して前記吹出ノズルのホッパー状開口部の下端開口を下方から覆うように該吹出ノズルの下面側に垂下突設されていることを特徴とする請求項１に記載のカバーテープ処理装置。
【発明の詳細な説明】
【技術分野】
【０００１】
本発明は、電子部品収納テープを用いてそれに収納されている電子部品を１個づつ供給するテープフィーダの供給作業工程において、該収納テープの本体から剥離され、巻取リールに巻き取られたカバーテープを処理するカバーテープ処理装置に関する。
【背景技術】
【０００２】
供給リールに巻き付けられている電子部品収納テープをピッチ送りすると共に、そのテープ本体に貼着されているカバーテープを該テープ本体から強制剥離して電子部品を一個づつ電子部品実装装置のピックアップ位置に給送するようにしたテープフィーダであって、電子部品収納テープのテープ本体からカバーテープを剥離する機構として巻取リールを使用したものが知られているが、電子部品収納テープの交換に当たっては巻取リールからそれに巻き取られたカバーテープを除去するのに時間と手間のかかる作業が必要であるため、テープフィーダの効率的稼動が困難であった。
【０００３】
そこで、本出願人は、先に、テープフィーダにおいて、電子部品収納テープのテープ本体からカバーテープを強制剥離する手段として巻取リールに代えて一対のカバーテープ処理ローラを採用し、該処理ローラ間を通過したカバーテープはそのままカバーテープ収容ケース内に収容するようにしたカバーテープ処理装置を提案した。
【特許文献１】特開平３−２７２９６９号公報
【発明の開示】
【発明が解決しようとする課題】
【０００４】
しかし乍ら、この公知例にあっては、カバーテープ収容ケースはテープフィーダの基台上の機枠に巻取リールと同様の態様で取り付けられるため、容積を大きくすることができずカバーテープを大量に収容できないという欠点やカバーテープの除去収容速度が電子部品収納テープの送り速度を越えることができないため、処理速度を高速化することができないという欠点等があった。
【０００５】
本発明は、先行技術の有する上記の如き欠点に鑑みてなされたものであって、使用済みカバーテープ、即ちテープフィーダの巻取リールに巻き取られたカバーテープをゴミ容器を大きくして大量に収容することができるばかりでなく、その除去収容速度ないし処理速度を格段と高速化できるようにし、もってテープフィーダの効率的稼動を可能ならしめるようにしたカバーテープ処理装置を提供することをその主たる目的とするものである。
【課題を解決するための手段】
【０００６】
上記目的を達成するために、本発明に係るカバーテープ処理装置の第１の特徴は、周壁の一部に開閉自在な開口を設け、該開口を通してゴミ容器を出し入れできるようにするとともに、頂壁の適所にテープフィーダの巻取リールに巻き取られた使用済みのカバーテープを投入し得るようにした投入口を設けたハウジングの内側上部に、高速気流発生手段と発生する高速気流を下方へ案内する案内筒からなっていて、前記投入口に投入される前記カバーテープを高速気流により連続的に下方へ吸引連行し得るようにした吸入装置を設け、使用に当たっては、前記ゴミ容器を前記ハウジング内に配置し、かつ前記吸引装置を起動した状態で前記カバーテープを前記投入口に投入することにより、該カバーテープが前記高速気流によりほどかれながら高速かつ自動的に該ゴミ容器内に連行蓄積されるようにしたことにある。
【０００７】
また、本発明装置の第２の特徴は、本発明装置の第１の特徴における前記高速気流発生手段が、環状に所定の間隔をおいて配設され、かつ圧力空気を垂直に下方へ噴出する複数の墳口を備えた環状の空気通路を有する吹出ノズルからなっていて、該吹出ノズルは、上下に貫通するとともに、前記ハウジングの頂壁に設けたカバーテープの投入口と連通するホッパー状の開口部を備えていることにある。
【０００８】
さらに、本発明装置の第３の特徴は、本発明装置の第１又は第２の特徴における前記案内筒が、断面円形の円筒体からなり、カプラを介して、前記吹出ノズルのホッパー状開口部の下端開口を下方から覆うように該吹出ノズルの下面側に垂下突設されていることにある。
【０００９】
また、本発明装置の第４の特徴は、本発明装置の第１の特徴における前記高速気流発生手段が、環状のトンネル状空気通路を有し、この空気通路に接線方向に吹き込まれる圧力空気によってこの空気通路内で旋回しながら旋回下降気流を発生させるように構成した旋回リングを備えた吹出ノズルからなっていて、該吹出ノズルは、上下に貫通するとともに、前記ハウジングの頂壁に設けたカバーテープの投入口と連通するホッパー状の開口部を備えていることにある。
【００１０】
さらにまた、本発明装置の第５の特徴は、本発明装置の第４の特徴における前記案内筒が、断面円形の円筒体からなり、カプラを介して前記吹出ノズルのホッパー状開口部の下端開口を下方から覆うように該吹出ノズルの下面側に垂下突設されていることにある。
【発明の効果】
【００１１】
本発明は、上記の如く構成されているので、それによれば、テープフィーダの巻取リールに巻き取られたカバーテープをゴミ容器を大きくして大量に収容することができるばかりでなく、その除去収容速度ないし処理速度を格段と高速化できるようにし、もってテープフィーダの効率的稼動を可能ならしめるようにした
カバーテープ処理装置を得ることができる。
【発明を実施するための最良の形態】
【００１２】
以下、本発明の実施形態につき、添付図面を参照して詳細に説明する。
【実施例１】
【００１３】
図１〜７は本発明の第１の実施例を示したもので、Ａはその実施例装置の本体を構成する横断面矩形の縦長のハウジングであり、その四周壁の１つＡ１には開閉扉１で自在に開閉できる大きな開口２が設けられているとともに、その頂壁Ａ２の適所にはテープフィーダの巻取リールに巻き取られた使用済みのカバーテープＴを投入し得るようにした投入口３が設けられており、カバーテープＴを大量に収容し得るようにした比較的大なる容積を有する直方形のゴミ容器Ｂを前記開口２を通して出し入れできるようになっている。
【００１４】
前記ハウジングＡの内側上部には、高速気流発生手段と発生する高速気流を下方へ案内する案内筒とからなっていて、前記投入口３に投入されるカバーテープＴを高速気流により連続的に下方へ吸引連行し得るようにした吸引装置Ｃが設けられている。
【００１５】
前記高速気流発生手段は、図１〜７に示した本発明の第１実施例にあっては、環状に所定の間隔をおいて配設され、かつ圧力空気を垂直に下方へ噴出する複数の噴口４を備えた環状の空気通路５を有する吹出ノズルＮからなっていて、該吹出ノズルＮは、上下に貫通するとともに、ハウジングＡの頂壁Ａ２に設けたカバーテープＴの投入口３と連通するホッパー状の開口部６を備えている。
【００１６】
前記案内筒は断面円形の円筒体Ｇからなり、カプラ７又は外向きフランジを介して、前記吹出ノズルＮのホッパー状開口部６の下端開口６Ａ及び噴口４を下方から覆うように該吹出ノズルＮの下面側に垂下突設されている。
【００１７】
吹出ノズルＮには、環状の空気通路５と連通する一対の直線状の空気導入路８Ａ、８Ｂが直径方向に対向して貫設されており、各空気導入路８Ａ、８Ｂには外部の圧力空気源に接続されている空気供給管路にそれぞれ接続された空気供給管９Ａ、９Ｂが入口継手１０Ａ、１０Ｂを介してそれぞれ接続されている。吹出ノズルＮの上端面１１は、平坦な環状の頂面として形成されていて、ハウジングＡの頂壁Ａ２の投入口３を下方からそのホッパー状開口部６で覆うようにして該頂壁Ａ２の下面に密着させた態様で複数の押さえねじ１３で螺着してある。
【００１８】
次に、図５〜７を用いて上記の如く構成された実施例１の作動について説明する。
使用に当たっては、先ず最初に、図５に示すように、ゴミ容器ＢをハウジングＡ内に配置してその開口２の開閉扉１を閉める。次いで、前記した空気供給管９Ａ、９Ｂ、空気導入路８Ａ、８Ｂ等を経由して圧力空気を環状の空気通路５に導入し、前記吸引装置Ｃを始動させる。この状態において、渦状に巻き取られたカバーテープＴの先端部をハウジング頂壁Ａ２の投入口３に投入すると、該カバーテープＴは該投入口に連通する高速気流発生手段としての吹出ノズルＮにおいて発生し、円筒体Ｇによって下方へ案内される高速気流によってほどかれながら高速かつ自動的に前記ゴミ容器Ｂ内に連行され収容蓄積される。
【００１９】
図５、６及び７は、そのボス状の巻取部１２´の外周にカバーテープＴが渦状に巻き取られている巻取リール１２をハウジングＡの上方に浮上させた状態で示してあるが、これは該実施例装置の使用方法の一例を示したにすぎないものである。即ち、装置の使用時に、巻取リール１２は、これを巻取部１２´を下向きにして手で保持した状態でカバーテープＴを前記投入口３に投入して処理作業を行う場合を示したにすぎない。カバーテープＴの先端部を前記投入口３に投入した後は、巻取リール部材１２を手で保持することなく、その巻取部１２´を下向きにした状態で、該投入口３の周りにおいてそれぞれ上方へ若干突出している前記複数の押さえねじ１３の頭部１３´上に載置しておくようにしても良い。
【実施例２】
【００２０】
図８〜１３は本発明の第２の実施例における吸引装置Ｃ´を示したものであるが、この第２実施例が前記第１実施例と異なる主な点は、この吸引装置Ｃ´の具体的構成及び作用が該第１実施例の吸引装置Ｃのそれと異なっていることであり、他の主要な構成要素であるハウジング、ゴミ容器等については、第１実施例の説明中で述べたものと実質的に同一であるので、重複を避けるため説明を省略する。
【００２１】
第２の実施例においては、前記高速気流発生手段は、環状のトンネル状空気通路５´を有し、この空気通路５´に接線方向に吹き込まれる圧力空気によってこの空気通路内で旋回しながら旋回下降気流を発生させるように構成した旋回リング１４を備えた吹出ノズルＮ´からなっている。この吹出ノズルＮ´は、前記吹出ノズルＮと同様に、上下に貫通するとともに、ハウジングＡの頂壁Ａ２に設けたカバーテープＴの投入口３と連通するホッパー状の開口部６を備えている。
【００２２】
高速気流発生手段としての吹出ノズルＮ´から発生する高速気流を下方へ案内する案内筒も、前記第１実施例のものと同様に、断面円形の円筒体Ｇからなり、カプラ７又は外向きフランジを介して、吹出ノズルＮ´のホッパー状開口部６の下端開口６Ａ及び後述する旋回リング１４の縦溝１４Ｂを下方から覆うように該吹出ノズルＮ´の下面側に垂下突設されている。
【００２３】
吹出ノズルＮ´には、環状のトンネル状空気通路５´と連通する一対の直線状の空気導入路８Ａ´、８Ｂ´が互いに平行かつ接線方向に延在するように貫設されており、各空気導入路８Ａ´、８Ｂ´には、第１実施例におけると同様に、外部の圧力空気源に接続されている空気供給管路にそれぞれ接続された空気供給管９Ａ´、９Ｂ´が入口継手１０Ａ´、１０Ｂ´を介してそれぞれ接続されている。吹出ノズルＮ´の上端面１１は、前記第１実施例のそれと同様に、平坦な環状の頂面として形成されていて、ハウジングＡの頂壁Ａ２の投入口３を下方からそのホッパー状開口部６で覆うようにして該頂壁Ａ２の下面に密着させた態様で複数の押さえねじ１３で螺着してある。
【００２４】
前記した吹出ノズルＮ´の旋回リング１４は旋回下降気流としての高速気流発生リングであり、その環状の上面側には、複数の半径方向の溝１４Ａが形成されていて、そのうちの一部は該リングの内周側において圧力空気を垂直に下方へ噴出させるための縦溝１４Ｂを備えている。図示の例にあっては、旋回リング１４には１２個の半径方向溝１４Ａが形成されており、それらは一つおきに、即ち、６個の溝１４Ａがそれぞれの内側に前記縦溝１４Ｂを備えている。１５は該旋回リング１４の旋回運動を円滑ならしめるための小型のベアリングボールであって、これらのボール１５はカプラ７又は外向きフランジの内側に設けた環状部材の環状溝１６に転動自在に収容されている。
【００２５】
次に、図８〜１３を参照して説明した本発明の実施例２の作動について説明する。
使用に当たっては、前記実施例１の場合と同様に、先ず最初に、図５に示すように、ゴミ容器ＢをハウジングＡ内に配置してその開口２の開閉扉１を閉める。
次いで、空気供給管９Ａ´、９Ｂ´、一対の直線状の空気導入路８Ａ´、８Ｂ´等を経由して圧力空気を環状の空気通路５´に導入する。
そうすると、該空気導入路８Ａ´、８Ｂ´を経て該環状空気通路５´内にその両側からその接線方向に沿って流入するので、旋回リング１４は一方向に、図示の例にあっては反時計方向に旋回せしめられる。この場合、旋回リング１４は前述した如き複数の半径方向溝１４及び縦溝１４Ｂを備えているので、風力によって回転する風車のように空圧を受けて軽快に高速回転せしめられるとともに、旋回しながら高圧空気を複数の縦溝１４Ｂを通して円筒体Ｇ内に高速旋回下降気流を発生させる。したがって、この状態において、巻取リール部材に巻き取られたカバーテープＴの先端部をハウジング頂壁Ａ２の投入口３に投入すると、該カバーテープは前記高速旋回下降気流によってほどかれ、螺旋状に旋回しながら高速にて自動的に前記ゴミ容器Ｂ内に連行され収容蓄積される。
【００２６】
図中、Ａ３は網戸状の排気窓、Ａ４はハウジングＡの底部の四隅角部にそれぞれ配設されたキャスタ、Ｂ´はゴミ容器Ｂの対向側壁部に設けられた手指挿入口、Ｂ"は中央部にテープＴの通過用透孔１６を有するゴミ容器Ｂの蓋、１７は蓋Ｂ"ないしハウジングＡを固定する固定具である。なお、図示していないが、ゴミ容器Ｂの側壁適所には排気用の小孔が多数穿設されている。
【００２７】
上記した各実施例装置の外形寸法は、横幅が２５０ｍｍ、奥行きが３００ｍｍ、高さが９２０ｍｍとなっていて、その重量は１５ｋｇである。
そして、それらの吸引対応幅は８ｍｍ、１２ｍｍ、１６ｍｍ、２４ｍｍであり、カバーテープの除去スピードは、テープの素材や幅により異なる。例えば８ｍｍ幅テープの場合、秒速約１０ｍであり、極めて高い。また、除去されるテープは容積の大なるテープ収容容器としてのゴミ容器Ｂに収納されるので、テープ収納量を大幅に増大させることが可能となる。
【産業上の利用可能性】
【００２８】
本発明は、上記の如く構成され、上記の如き機能を有し、カバーテープの除去収容速度ないし処理速度を格段と高速化できるとともに、その収納量をも大幅に増大させることが可能となるため、テープフィーダの効率的稼動、従ってまた、プリント基板の表面実装作業の能率の向上に大いに寄与することができ、電子機器産業での利用価値は多大である。
【図面の簡単な説明】
【００２９】
【図１】本発明の一実施例装置の斜視図である。
【図２】上記実施例装置の要部としての吸引装置の斜視図である。
【図３】図２に示した吸引装置の吹出ノズルの一部を切断して示した斜視図            である。
【図４】図２に示した吸引装置の吹出ノズルの底面を拡大して示した底面図            である
【図５】上記実施例装置の使用状態の一例を示した斜視図である。
【図６】上記実施例装置の使用状態の一例を示した縦断正面図である。
【図７】図６に示した装置の上部を拡大して示した一部拡大縦断正面図であ            る。
【図８】本発明の第２の実施例装置の要部としての吸引装置の一部を切断し            て示した斜視図である。
【図９】図８に示した吸引装置の分解斜視図である。
【図１０】図８及び９に示した旋回リングの拡大平面図である。
【図１１Ａ】図１０に示した旋回リングの底面図である。
【図１１Ｂ】環状の空気通路内に旋回リングを緩く嵌装した状態を示す底面                図である。
【図１２】図１０のＡ−Ａ´線に沿って切断した断面図である。
【図１３】一対の直線状の空気通路の配置状態を示す第２実施例装置の吸引              装置の斜視図である
【符号の説明】
【００３０】
Ａ      ハウジング
Ａ２    頂壁
２      開口
Ｔ      カバーテープ
３      投入口
Ｂ      ゴミ容器
Ｃ、Ｃ´  吸引装置
Ｎ、Ｎ´  吹出ノズル
Ｇ´    円筒体
４      噴口
５      環状の空気通路
６      ホッパー状開口部
６Ａ    下端開口
７      カプラ
８Ａ、８Ｂ  空気導入路
１４    旋回リング
１５    ボール
【図１】
0004789004.tif 000002
【図２】
0004789004.tif 000003
【図３】
0004789004.tif 000004
【図４】
0004789004.tif 000005
【図５】
0004789004.tif 000006
【図６】
0004789004.tif 000007
【図７】
0004789004.tif 000008
【図８】
0004789004.tif 000009
【図９】
0004789004.tif 000010
【図１０】
0004789004.tif 000011
【図１１Ａ】
0004789004.tif 000012
【図１１Ｂ】
0004789004.tif 000013
【図１２】
0004789004.tif 000014
【図１３】
0004789004.tif 000015